(57)【要約】【課題】ピンの先端が外部に露出しないので美観を何ら損なうことがなく、また筒状本体が持ちやすいので操作がしやすく、止め具の径を小さくして小型化することが可能であり、しかも使用中に外れやすいという欠点を解消したピアスイヤリングの止め具を提供しようとするものである。【解決手段】筒状本体と、筒状本体の先端部分に固設された耳当て部と、耳当て部に筒状本体の内方に向かって延びるよう取り付けた抜け止め具とを備え、上記抜け止め具がリング状のガイド部と、このガイド部から延長された複数のバネ性抜け止め片を有し、上記抜け止め具が、常態ではピアス用ピンの先端に形成した周溝にバネ性抜け止め片が係合して抜け止めするとともに、ピアス用ピンを引き抜く方向に力を掛けることにより、上記バネ性抜け止め片がピアス用ピンによる負荷を受けて広がり、ピアス用ピンとの係合を解いて外れるようにしたことを特徴とする。【選択図】  図２
0003128019.tif 000002
【実用新案登録請求の範囲】
【請求項１】
筒状本体と、筒状本体の先端部分に固設された耳当て部と、耳当て部に筒状本体の内方に向かって延びるよう取り付けた抜け止め具とを備え、上記抜け止め具がリング状のガイド部と、このガイド部から延長された複数のバネ性抜け止め片を有し、上記抜け止め具が、常態ではピアス用ピンの先端に形成した周溝にバネ性抜け止め片が係合して抜け止めするとともに、ピアス用ピンを引き抜く方向に力を掛けることにより、上記バネ性抜け止め片がピアス用ピンによる負荷を受けて広がり、ピアス用ピンとの係合を解いて外れるようにしたことを特徴とするピアスイヤリングの止め具。
【請求項２】
筒状本体が、ピアスイヤリングの止め具を収納する装飾体に形成した凹孔に収納固定されていることを特徴とする請求項１に記載のピアスイヤリングの止め具。
【考案の詳細な説明】
【技術分野】
【０００１】
この考案は、ピアスイヤリングに使用される止め具に関するものである。
【背景技術】
【０００２】
従来、ピアスイヤリングの止め具としては、実開昭５６−１２０８１１号公報（特許文献１参照）に記載され、図４に示すようなキャッチ１０１を用いたものが周知である。
【０００３】
すなわち図４には、基板１０２の中央部に貫通孔１０３を穿孔した扁平部１０４を設け、その対向した両端部１０５に、貫通孔１０３の中心線上で互いに弾発状態で接触するよう屈曲した屈曲片１０６を設けるとともに、少なくとも扁平部１０４と屈曲片１０６にかかる陥状変形部１０７を設け、貫通孔１０３に挿入したピン１１１を屈曲片１０６により保持するようにしたピアスイヤリングの止め具が示されている。
【特許文献１】実開昭５６−１２０８１１号公報
【考案の開示】
【考案が解決しようとする課題】
【０００４】
しかしながらピンの先端が外部に露出しており、美観を損ねることはもちろん、その操作もしずらいという欠点があり、種々の改善がなされてきているが、上記キャッチをしのぐものはいまだ開発されていないのが実情である。
【０００５】
この考案のピアスイヤリングの止め具は従来例の上記欠点を解消しようとするものであり、ピンの先端が外部に露出しないので美観を何ら損なうことがなく、また止め具が持ちやすいので操作がしやすく、止め具の径を小さくして小型化することが可能であり、しかも使用中に外れやすいという欠点を解消したピアスイヤリングの止め具を提供しようとするものである。
【課題を解決するための手段】
【０００６】
すなわちこの考案のピアスイヤリングの止め具は、筒状本体と、筒状本体の先端部分に固設された耳当て部と、耳当て部に筒状本体の内方に向かって延びるよう取り付けた抜け止め具とを備え、上記抜け止め具がリング状のガイド部と、このガイド部から延長された複数のバネ性抜け止め片を有し、上記抜け止め具が、常態ではピアス用ピンの先端に形成した周溝にバネ性抜け止め片が係合して抜け止めするとともに、ピアス用ピンを引き抜く方向に力を掛けることにより、上記バネ性抜け止め片がピアス用ピンによる負荷を受けて広がり、ピアス用ピンとの係合を解いて外れるようにしたことを特徴とするものである。
【０００７】
またこの考案のピアスイヤリングの止め具は、筒状本体が、ピアスイヤリングの止め具を収納する装飾体に形成した凹孔に収納固定されていることをも特徴としている。
【考案の効果】
【０００８】
この考案のピアスイヤリングの止め具は以上のように、バネ性抜け止め片をイヤリング本体の端部に取り付けた連結用のピアス用ピンの先端に係合して抜け止めするようにしたので、常態では簡単に外れることがない。しかも筒状本体を持ってピアス用ピンを引き抜く方向に力を掛けることにより、バネ性抜け止め片の係合部分が開いて簡単に外れるようになり、非常に操作しやすいものとなった。
【０００９】
またこの考案のピアスイヤリングの止め具は、部品点数が少なく、プレス加工等によって簡単に量産することができるので、大幅なコスト低減を図ることができるようになった。しかも筒状本体の表面には付属品が何も現れないので、美観に優れたピアスイヤリングの止め具を提供することができるようになった。
なお、バネ性抜け止め片をイヤリング本体の両端に取り付けることにより、リバーシブル構造のピアスイヤリングとしても利用することができる。
【考案を実施するための最良の形態】
【００１０】
以下、図面に基づき、この考案のピアスイヤリングの止め具の実施の形態について説明する。
図１はこの考案のピアスイヤリングの止め具の１実施例を示し、ピアス用のピンを装着した状態の断面図、図２はピアス用のピンを引き抜く状態の断面図、図３は筒状本体を装飾体に収納した状態の断面図である。
【００１１】
図中１１は筒状本体で、円形断面、角形断面等の輪郭をなし、一端を開口するよう形成されている。１２は抜け止め具で、筒状本体１１の一端にロー付けや溶接、スポット溶接、ネジ等によって筒状本体１１の内壁と所定の間隔を有するように取り付けられ、筒状本体１１の内方に向かって延びている。先端は自由端１３である。
【００１２】
抜け止め具１２は、図１ないし図３のように全体形状は筒状本体１１とほぼ同様の円形断面、角形断面等の輪郭に形成され、リング状のガイド部１４と、このガイド部１４から延長された複数の、例えば一対のバネ性抜け止め片１５を有している。また、一対のバネ性抜け止め片１５間には、同様に自由端を有する複数のガイド片１６が配置されている。
そして一対のバネ性抜け止め片１５は、抜け止め具１２の内壁側に向けて傾斜し、さらに先端を外向きに折り返されて、内向きの突部１７が形成されている。
【００１３】
上記抜け止め具１２は、円筒ないし角筒状にしぼり成形したバネ材を所定の形状に加工し、バネ性抜け止め片１５部分を折り返すことにより、所定の構造を備えた抜け止め具１２を得ることができる。
【００１４】
上記抜け止め具１２は、常態ではピアスイヤリングの端部に取り付けたピアス用ピン２１の先端に形成した周溝２２に突部１７を係合して抜け止めする。その際、ピアス用ピン２１を引き抜く方向に多少の負荷がかかっても、抜け止め具１２の一対のバネ性抜け止め片１５において確実に抜け止めされ、ピアス用ピン２１は筒状本体１１から外れることがない。
【００１５】
次に、図２のように筒状本体１１を手で持ってピアス用ピン２１を引き抜く方向に力を掛けると、一対のバネ性抜け止め片１５の突部１７がピアス用ピン２１から外向きの力を受けて広がり、ピアス用ピン２１の周溝２２との係合を解いて外れるようになる。
【００１６】
なお、一対のバネ性抜け止め片１５はピアス用ピン２１を引き抜くと、一対のバネ性抜け止め片１５はその弾性によって元の位置に復帰するようになっている。もちろん、一対のバネ性抜け止め片１５の弾性的な力は、その素材や肉厚、リブの有無等によって適宜調整することができる。
【００１７】
図３は筒状本体１１を装飾体３１に収納した状態を示すものである。この装飾体３１としては、真珠や宝石、貴石、貴金属製の丸玉のみならず、種々の外形を備えた装飾性のある素材を用いることができる。そして、この装飾体３１に筒状本体１１が収納可能な凹孔３２を形成し、その中に筒状本体１１を収納して接着剤やロー付け、ネジ構造等によって固定することができる。
なお、バネ性抜け止め片をイヤリング本体の両端に取り付けることにより、装飾性を備えたリバーシブル構造のピアスイヤリングとしても利用することができる。
【００１８】
上記ピアスイヤリングの止め具は次のようにして使用される。
すなわち使用に際して、上記筒状本体１１の抜け止め具１２のガイド部１４を経由して、ピアス用ピン２１の頭部を押し込む。すると、筒状本体１１内に装着した抜け止め具１２は、一対のバネ性抜け止め片１５が広がってピアス用ピン２１の頭部を受け入れ、一対のバネ性抜け止め片１５の突部１７がピアス用ピン２１の周溝２２に係合して確実に抜け止めする。
【００１９】
ピアス用ピン２１の装着が完了すると、ピアス用ピン２１を引き抜く方向に負荷がかかっても、抜け止め具１２のバネ性抜け止め片１５によって確実に抜け止めされ、ピアス用ピン２１は筒状本体１１から外れることがない。
【００２０】
次に、図２のように筒状本体１１を手で持ってピアス用ピン２１を引き抜く方向に力を掛けると、一対のバネ性抜け止め片１５の突部１７がピアス用ピン２１から外向きの力を受けて広がり、ピアス用ピン２１の周溝２２との係合を解いて外れるようになる。
その際、一対のバネ性抜け止め片１５からピアス用ピン２１を引き抜くと、一対のバネ性抜け止め片１５はその弾性によって元の位置に復帰する。
【産業上の利用可能性】
【００２１】
この考案のピアスイヤリングの止め具によれば、ピアスイヤリング以外にも、ネックレスやペンダント、ブレスレット等の装身具の連結部分に好適に使用することができ、コンパクトで取扱いやすい連結具を提供することができるようになった。
なお、バネ性抜け止め片をイヤリング本体の両端に取り付けることにより、装飾性を備えたリバーシブル構造のピアスイヤリングとしても利用することができる。
【図面の簡単な説明】
【００２２】
【図１】この考案のピアスイヤリングの止め具の１実施例を示し、ピアス用のピンを装着した状態の断面図である。
【図２】ピアス用のピンを引き抜く状態の断面図である。
【図３】筒状本体を装飾体に収納した状態の断面図である。
【図４】従来例を示す側面図である。
【符号の説明】
【００２３】
１１  筒状本体
１２  抜け止め具
１３  自由端
１４  ガイド部
１５  バネ性抜け止め片
１６  ガイド片
１７  突部
２１  ピアス用ピン
２２  周溝
３１  装飾体
３２  凹孔
【図１】
0003128019.tif 000003
【図２】
0003128019.tif 000004
【図３】
0003128019.tif 000005
【図４】
0003128019.tif 000006